(57)【特許請求の範囲】
【請求項１】
監視領域の各所に設置されたセンサと接続され、通信回線を介して接続された所定の通報先に監視状態を通報する警備装置において、
主電源とバッテリに接続され、前記警備装置内の各回路に、通常時は前記主電源から給電をし、停電時には前記バッテリから給電をする電源部と、
前記主電源の停電を検出する停電検出部と、
前記警備装置内の各回路の内、前記センサにより異常状態を検出したとき、前記通報先へ異常状態が発生したことを通報するために必要な回路を含む第１の回路グループと、
前記警備装置内の各回路の内、前記第１の回路グループ以外の回路により構成される第２の回路グループと、
前記電源部と前記第２の回路グループとの間に設けられ、通常時はオンとされて両者間を接続し、前記停電検出部が停電を検出した後にオフとされて前記第２の回路グループへの給電を停止する電源切換回路と、
前記警備装置に設けられた操作部の操作の有無を検知し、前記操作部が操作されたことを検知すると、前記電源切換回路をオンとする操作検知部とを具備し、
前記主電源の停電の検出後、前記センサによる異常状態の通報に必要な前記第１の回路グループのみに前記バッテリから給電を行い、前記操作検知部が作動した時は、前記第２の回路グループに給電を行うことにより、操作に必要な各回路に給電を行うことを特徴とする警備装置。
【請求項２】
前記操作部は、カードリーダー装置で構成され、前記操作検知部は、カードが前記カードリーダー装置に挿入されたことを検知するものであることを特徴とする請求項１記載の警備装置。
【発明の詳細な説明】
【０００１】
【発明の属する技術分野】
本発明は、警備システムに使用される警備装置に関し、特に、バッテリの節電を図った警備装置に関するものである。
【０００２】
【従来の技術】
従来より警備システムに使用されているコントローラなどの警備装置においては、停電時にもその機能を維持するために、装置に内蔵したバッテリによりバックアップ給電をすることが行われている。
従来の警備装置においては、バックアップ給電時には、警備装置の機能全部をバックアップするようにしている。しかしながら、このようなバックアップでは、長時間の停電はバックアップできないという問題があった。すなわち、警備装置は、壁などに設置するため、大きさが制限される。そして、バッテリは、その警備装置に内蔵されるものであるから、その大きさも限られる。したがって、バッテリがバックアップできる時間は比較的短時間となり、停電が長時間にわたった場合には、バックアップができないこととなる。
【０００３】
これに対し、停電時には、警備装置の必要最小限の回路のみにバックアップ給電をし、その他の回路への給電を停止することにより、バッテリの長寿命化を図った警備装置も提案されている。
【０００４】
【発明が解決しようとする課題】
しかしながら、この警備装置では、バックアップ時に警備装置に設けられた操作部、表示部などへの給電が停止される。このため、停電時には、ユーザによる警備装置の操作ができなくなるという問題点がある。また、停電時に給電がされていない回路に異常状態が発生してもその状態確認ができないため、その異常状態を外部センターなどに通報できなくなり、警備装置の信頼性が低下するという問題点もある。
【０００５】
本発明は、上記の問題点を解決し、停電時にバッテリによる長時間のバックアップを可能とし、かつ、操作性の向上を実現した警備装置を提供することを目的とするものである。
【０００６】
【課題を解決するための手段】
本発明は、上記課題を解決するためになされたものである。本発明の警備装置は、監視領域の各所に設置されたセンサと接続され、通信回線を介して接続された所定の通報先に監視状態を通報する。装置内の各回路に給電を行う電源部は、主電源とバッテリに接続され、通常時は主電源から給電をし、停電時にはバッテリから給電をする。また、主電源の停電を検出する停電検出部が設けられる。
【０００７】
警備装置内の各回路は、センサにより異常状態を検出したとき、通報先へ異常状態が発生したことを通報するために必要な回路を含む第１の回路グループと、それ以外の回路により構成される第２の回路グループとに区分けされる。第１の回路グループは直接電源部に接続され、第２の回路グループは、電源切換回路を介して接続される。この電源切換回路は、通常時はオンとされ、警備装置の全回路に給電がされる。この電源切換回路がオフとされたときは、第２の回路グループへの給電が停止され、第１の回路グループのみへの給電が行われる。
【００１１】
警備装置の操作部、表示部などの回路は、第２の回路グループに分類され、長時間の停電時には給電が停止される。このため、ユーザには警備装置の操作を行い難い状態となる。これに対し、本発明では、警備装置の操作部の操作の有無を検知する操作検知部を設け、ユーザにより操作部が操作されたことを検知すると、電源切換回路をオンとして、第２の回路グループにも給電が行われるようにする。これにより、操作部及び表示部にも給電がされて、非停電時と同じ状態になり、ユーザは通常の操作を行うことが可能となる。
【００１２】
この操作検知部は、カードリーダー装置に設けることが好ましい。この場合ユーザがカードをカードリーダー装置に挿入すると、警備装置が通常動作状態に移行する。
【００１３】
【発明の実施の形態】
本発明の実施形態について、図を用いて説明する。
図１は、警備装置の構成を示すブロック図である。図において、１は警備装置である。２，２，…は監視領域の各所に配置されたセンサである。３は電話回線であり、警備装置１と外部のセンター６とを接続する。４は、商用電源のＡＣ１００Ｖの外部電源である。５は警備装置１に内蔵されたバッテリである。
【００１４】
警備装置１において、１１は電源部である。電源部１１には、外部電源４とバッテリ５が接続される。電源部１１は、通常時は、主電源として外部電源４から警備装置１内の各回路に給電を行い、外部電源４の停電時には、バックアップとしてバッテリ５から給電を行う。なお、図において、電源線は２重線で表示している。
【００１５】
警備装置１内のＣＰＵ１２は、直接電源部１１と接続されて、常に給電を受ける。センサ２により異常状態を検出した時、センター６へ通報を行うために必要な回路は、第１の回路グループＡにグループ分けされて、直接電源部１１と接続されて、常に給電を受ける。その他の回路は、第２の回路グループＢにグループ分けされ、電源切換回路１３を介して電源部１１と接続される。この第２の回路グループＢに属する回路は、電源切換回路１３がオンのとき給電を受け、オフのときは給電を受けない。また、第１の回路グループＡと第２の回路グループＢの各回路は、ＣＰＵ１２と接続されている。
【００１６】
第１の回路グループＡには、計時部２１、センサ入力部２２、スイッチ入力部２３、カードリーダー操作検知部２４、停電検出部２５が含まれる。センサ入力部２２には、センサ２，２，…の検出信号が入力される。停電検出部２５は、外部電源４の停電を検出する。スイッチ入力部２３は、警備装置１に設けられた各種操作スイッチ（図示せず）が接続される。カードリーダー操作検知部２４は、カードリーダー装置内に設けられた機械的スイッチなどにより構成され、装置にカードが挿入されたときに信号を出力する。なお、本例の操作検知部２４は、カードリーダーの操作を検知しているが、警備装置１に設けられたその他の操作手段を対象とすることもできる。
【００１７】
計時部２１は、外部電源４の停電が検出された後でも、警備装置１を通常動作に保つための所定時間をカウントし、又、バックアップモード時に、定期的に警備装置１内の状態確認を行うための時間間隔をカウントする。これらの時間は、予め設定されたものであり、変更可能なものである。また、この設定及び変更は、警備装置１で行えるだけでなく、センター６からも行えるようになっている。
【００１８】
第２の回路グループＢには、ＣＰＵ周辺部３１、表示部３２、回線部３３、ブザー部３４、外部出力部３５、カードリーダー部３６が含まれる。なお、カードリーダー部３６は、カードリーダー操作検知部２４と共に同一のカードリーダー装置に組み込まれるが、両者は別の電源回路を有することとなる。
次に、図１の回路の動作について、図２，図３，図４のフローチャートに沿って説明する。図２〜図４のフローチャートは１組となって、ＣＰＵ１２により実行される処理を表す。
【００１９】
ステップＳ１では、停電検出部２５が外部電源４の停電を検出しているか否かを判定する。停電が検出されないときは、停電が検出されるまで待つ。この状態では、バッテリ５は電源部１１から切り離され、電源切換回路１３はオンとされている。したがって、警備装置１内の各回路は、外部電源４から給電がされ、警備装置１は通常動作を行う。ステップＳ１で、外部電源４の停電が検出されると、ステップＳ２へ進む。
【００２０】
ステップＳ２では、長時間バックアップモードが設定されているか否かが判定される。本例の警備装置１においては、予め、バックアップ時に警備装置１の機能の一部のみをバックアップする場合（長時間バックアップモード）と、機能の全部をバックアップする場合を設定できるようになっている。ここで、長時間バックアップモードが設定されていればステップＳ６へ進み、設定されていなければステップＳ３へ進む。
【００２１】
ステップＳ３では、電源部１１にバッテリ５を接続し、その後は、ステップＳ４で、外部電源４が復電するまで待つ。したがって、この場合は、第１の回路グループＡ及び第２の回路グループＢの両方がバッテリ５によりバックアップされ、警備装置１は通常動作を継続する。そして、外部電源４が復電すると、ステップＳ５へ進み、電源部１１からバッテリ５が切り離される。これにより、警備装置１の各回路は外部電源４により給電される状態となって、ステップＳ１へ戻る。
【００２２】
長時間バックアップモードが設定されている場合は、ステップＳ６で、電源部１１にバッテリ５を接続し、ステップＳ７で、計時部２１に１０分間の計時を開始させ、ステップＳ８，Ｓ９で、タイムアップするのを待つ。この状態では、電源切換回路１３はオンの状態が保たれているから、第１の回路グループＡ及び第２の回路グループＢの両方がバッテリ５によりバックアップされる。
【００２３】
また、１０分間のタイムアップを待つ間、ステップＳ９で、外部電源４が復電したか否かがチェックされる。この間に復電があればステップＳ１０で電源部１１からバッテリ５が切り離され、外部電源４により給電される状態となって、ステップＳ１へ戻る。この間に復電がなく、計時部２１がタイムアップすれば、ステップＳ１１へ進む。
【００２４】
このステップＳ６〜１０までの処理により、外部電源４が停電をし、バッテリ５によるバックアップが開始されても、例えば１０分間という所定時間の間は、警備装置１の全ての回路はバッテリ５から給電を受け、警備装置１は通常の動作を行う。したがって、ユーザの操作性の低下などは生じない。また、通常の停電では、この１０分間の間に外部電源４の復電が期待でき、この場合、警備装置１は停電とは全く無関係に通常の動作を続けたこととなる。
【００２５】
外部電源４の復電がないまま１０分が経過すると、ステップＳ１１で、電源切換回路１３がオフとされ、第２の回路グループＢが電源部１１から切り離される。これにより、バッテリ５の消費量が低減され、長時間のバックアップが可能となる。この長時間バックアップモードに入っても、第１の回路グループＡにはバッテリ５から給電がされている。
【００２６】
ステップＳ１２で、ＣＰＵ１２は、スリープモードに設定され、ＣＰＵ１２によるバッテリ消費量が抑えられる。ステップＳ１３で、計時部２１に１分間の計時を開始させる。この１分間がタイムアップするまで（ステップＳ１７）の間、ステップＳ１４でセンサ２が異常を検知したか、ステップＳ１５で操作部が操作されたか、ステップＳ１６で外部電源４が復電したかということが判定される。
【００２７】
長時間バックアップモードに入ってから、センサ２が異常状態を検出すると、その異常信号はセンサ入力部２２に入力される。ステップＳ１４でこの状態が発生したと判定されるとステップＳ１８へ進み、ＣＰＵ１２をスリープモードから通常モードに設定変更し、ステップＳ１９で、電源切換回路１３をオンとし、第２の回路グループＢに給電をして、警備装置１を通常動作モードに戻す。そして、センサ２からの信号を処理し、回線部３３からセンター６へ通報を行う。これにより、長時間バックアップモードに入った場合でも、センサ２が異常を検出したときは、正常にセンター６へ通報がされる。
【００２８】
これらの処理が終了すると、ステップＳ２０からステップＳ１１へ戻り、再度長時間バックアップモードに入り、バッテリ５の消耗を低減させる。
また、長時間バックアップモードに入った場合でも、ユーザがカードリーダー装置にカードを挿入すると、ステップＳ１５で、カードリーダー操作検知部２４がこれを検知し、ステップＳ１８へ進む。ステップＳ１８〜２０の処理は上記のとおりである。したがって、カードリーダー装置の操作により、警備装置１は通常動作に移り、表示部３２にも給電が開始される。ユーザは、表示を確認しながら所定の操作を行うことができ、操作性が向上する。なお、この操作検知は、その他の適当な操作手段の操作を検知することもできる。
【００２９】
さらに、長時間バックアップモードに入ってから外部電源４の復電があると、ステップＳ１６からステップＳ２１へ進む。ステップＳ２１では、ＣＰＵ１２をスリープモードから通常モードに設定変更し、ステップＳ２２で、電源部１１からバッテリ５を切り離す。そして、ステップＳ１へ戻る。以後は、警備装置１は外部電源４が停電するまで通常の動作を行う。
【００３０】
ステップＳ１３で１分間の計時がスタートしてから、ステップＳ１４〜１６の動作がなくタイムアップすると、ステップＳ１７からステップＳ２３へ進む。ステップＳ２３でＣＰＵ１２を通常モードに設定変更し、ステップＳ２４で電源切換回路１３をオンとして第２の回路グループＢに給電をする。これにより、警備装置１は、長時間バックアップモードに入った場合は、センサ２による異常検出、操作部の操作、外部電源４の復電がない場合は、１分ごとに通常動作に移る。
【００３１】
ステップＳ２５では、第１の回路グループＡ及び第２の回路グループＢの各回路について状態確認を行う。ここで異常が検出されなければ、ステップＳ１１以下の長時間バックアップモードへ戻る。ここで異常が検出された場合は、ステップＳ２６で、センター６へ通報を行い、以後の動作を停止する。これにより、長時間バックアップモードに入っても、定期的に警備装置１の状態確認を行うことができ警備装置の信頼性を高めることができる。しかも、この状態確認は間欠的に行われるから、バッテリ５の消耗は最小限に抑えることができる。
【００３２】
【発明の効果】
本発明によれば、停電時にバッテリによる長時間のバックアップを可能とし、かつ、操作性の向上を実現した警備装置を得ることができる。
【図面の簡単な説明】
【図１】本発明の警備装置の構成の１例を示すブロック図。
【図２】図１の警備装置の動作を説明するためのフローチャート（その１）。
【図３】図１の警備装置の動作を説明するためのフローチャート（その２）。
【図４】図１の警備装置の動作を説明するためのフローチャート（その３）。
【符号の説明】
１…警備装置
２…センサ
３…電話回線
４…外部電源
５…バッテリ
６…センター
１１…電源部
１２…ＣＰＵ
１３…電源切換回路
２１…計時部
２２…センサ入力部
２３…スイッチ入力部
２４…カードリーダー操作検知部
２５…停電検出部
３１…ＣＰＵ周辺部
３２…表示部
３３…回線部
３４…ブザー部
３５…外部出力部
３６…カードリーダー部
【図１】
0003821518.tif 000002
【図２】
0003821518.tif 000003
【図３】
0003821518.tif 000004
【図４】
0003821518.tif 000005